(57)【要約】【課題】非使用時は、内部に封入した気体をできるだけ排出してコンパクトに収納できて携帯に便利であり、使用時は、身体への順応性が良好となる簡易座布団および簡易座布団の利用方法を提供する。【解決手段】可撓性のシート１ａ，１ｂにより密閉状態に上下二室となる一体的な気密室１と圧力調整室２と重設し、気密室の一側部に該気密室内に対して気体の吸排気を行い、使用時は該気密室内の気体の排出を遮蔽させる遮蔽部材１２を設けた給排気部材３を取り付け、圧力調整室２の一側部には該圧力調整室に対しての気体の流入と排出を行う通気部材４を設けてなり、圧力調整室は、その内部に、圧縮したとき減容し、この圧縮を解除したとき復元性する弾性部材８を内蔵する。【選択図】　　図１
2004065281.tif 000002
【特許請求の範囲】
【請求項１】
可撓性のシートにより密閉状態に形成された気密室と、この気密室の下側において可撓性のシートにより該気密室と少なくとも、それぞれの周縁部の一部が接続されて一体的に重設した圧力調整室と、前記気密室の一側部に取り付けて該気密室内に対して気体の吸排気を行い、使用時は該気密室内の気体の排出を遮蔽させる遮蔽部材を設けた給排気部材と、前記圧力調整室の一側部に設けて、該圧力調整室に対しての気体の流入と排出を行う通気部材と、この通気部材の通気を遮断し、前記圧力調整室の内部を密閉状態に形成する遮断部材とを有し、
前記圧力調整室は、その内部に、圧縮したとき減容し、この圧縮を解除したとき復元性する弾性部材を内蔵してあることを特徴とする簡易座布団。
【請求項２】
給排気部材における遮蔽部材は、逆止弁であることを特徴とする請求項１記載の簡易座布団。
【請求項３】
気密室は、圧力調整室を挟んでその上下に設けて、少なくとも、それぞれの周縁部の一部が接続されて一体的に形成されたことを特徴とする請求項１記載の簡易座布団。
【請求項４】
可撓性のシートにより密閉状態に形成された気密室と、この気密室の下側において可撓性のシートにより該気密室と少なくとも、それぞれの周縁部の一部が接続されて一体的に重設した圧力調整室と、前記気密室の一側部に取り付けて該気密室内に対して気体の吸排気を行い、使用時は該気密室内の気体の排出を遮蔽させる遮蔽部材を設けた給排気部材と、前記圧力調整室の一側部に設けて、該圧力調整室に対しての気体の流入と排出を行う通気部材と、この通気部材の通気を遮断し、前記圧力調整室の内部を密閉状態に形成する遮断部材とを有し、
前記圧力調整室は、その内部に、圧縮したとき減容し、この圧縮を解除したとき復元性する弾性部材を内蔵してある簡易座布団にあって、
前記簡易座布団の使用時は、前記圧力調整室の通気部材を開放し、前記気密室の給排気部材からその各小室が膨満するまで気体を供給して、前記給排気部材を前記遮蔽部材により閉塞し、
前記簡易座布団の収納時は、前記給排気部材に取り付けた遮蔽部材による気体の流通遮蔽を解除して前記気密室を開放し、該気密室と前記圧力調整室の内部気体を排出させて、この圧力調整室内の弾性部材を減容化させた後、該圧力調整室の通気部材の通気を遮断する遮断部材により閉塞させ、前記弾性部材の復元性を規制させたことを特徴とする簡易座布団の利用方法。
【発明の詳細な説明】
【０００１】
【産業上の利用分野】
本発明は、コンパクトに収納できて携帯に便利であり、かつ、使用感が良好な簡易座布団および簡易座布団の利用方法に関する。
【０００２】
【従来の技術】
従来、屋外等に持ち出して使用する座布団は、その携帯性を考慮してできるだけ小さく形成させることが好ましいものの、少なくとも、尻部を覆うための大きさは必要であって、そのため、前記座布団は必然的にその外形状は大きくならざるを得ないものであった。
【０００３】
【発明が解決しようとする課題】
本発明は、前記した問題点を解決するためになされたもので、可撓性のシートにより密閉状態に上下二室となる一体的な気密室と圧力調整室と重設し、気密室の一側部に該気密室内に対して気体の吸排気を行い、使用時は該気密室内の気体の排出を遮蔽させる遮蔽部材を設けた給排気部材を取り付け、圧力調整室の一側部には該圧力調整室に対しての気体の流入と排出を行う通気部材を設けてなり、圧力調整室は、その内部に、圧縮したとき減容し、この圧縮を解除したとき復元性する弾性部材を内蔵することにより、非使用時は、内部に封入した気体をできるだけ排出してコンパクトに収納できて携帯に便利であり、使用時は、身体への順応性が良好となる簡易座布団および簡易座布団の利用方法を提供することを目的としている。
【０００４】
【課題を解決するための手段】
前記した目的を達成するための本発明の手段は、
可撓性のシートにより密閉状態に形成された気密室と、この気密室の下側において可撓性のシートにより該気密室と少なくとも、それぞれの周縁部の一部が接続されて一体的に重設した圧力調整室と、前記気密室の一側部に取り付けて該気密室内に対して気体の吸排気を行い、使用時は該気密室内の気体の排出を遮蔽させる遮蔽部材を設けた給排気部材と、前記圧力調整室の一側部に設けて、該圧力調整室に対しての気体の流入と排出を行う通気部材と、この通気部材の通気を遮断し、前記圧力調整室の内部を密閉状態に形成する遮断部材とを有し、
前記圧力調整室は、その内部に、圧縮したとき減容し、この圧縮を解除したとき復元性する弾性部材を内蔵してある簡易座布団の構成にある。
【０００５】
また、
給排気部材における遮蔽部材は、逆止弁である。
【０００６】
更に、
気密室は、圧力調整室を挟んでその上下に設けて、少なくとも、それぞれの周縁部の一部が接続されて一体的に形成される。
【０００７】
そして、
可撓性のシートにより密閉状態に形成された気密室と、この気密室の下側において可撓性のシートにより該気密室と少なくとも、それぞれの周縁部の一部が接続されて一体的に重設した圧力調整室と、前記気密室の一側部に取り付けて該気密室内に対して気体の吸排気を行い、使用時は該気密室内の気体の排出を遮蔽させる遮蔽部材を設けた給排気部材と、前記圧力調整室の一側部に設けて、該圧力調整室に対しての気体の流入と排出を行う通気部材と、この通気部材の通気を遮断し、前記圧力調整室の内部を密閉状態に形成する遮断部材とを有し、
前記圧力調整室は、その内部に、圧縮したとき減容し、この圧縮を解除したとき復元性する弾性部材を内蔵してある簡易座布団にあって、
前記簡易座布団の使用時は、前記圧力調整室の通気部材を開放し、前記気密室の給排気部材からその各小室が膨満するまで気体を供給して、前記給排気部材を前記遮蔽部材により閉塞し、
前記簡易座布団の収納時は、前記給排気部材に取り付けた遮蔽部材による気体の流通遮蔽を解除して前記気密室を開放し、該気密室と前記圧力調整室の内部気体を排出させて、この圧力調整室内の弾性部材を減容化させた後、該圧力調整室の通気部材の通気を遮断する遮断部材により閉塞させ、前記弾性部材の復元性を規制させた簡易座布団の利用方法にある。
【０００８】
【実施例】
次に、本発明に関する簡易座布団および簡易座布団の利用方法の一実施例を図面に基づいて説明する。
図１〜図１０においてＡは簡易座布団で、図１〜図６においては第一の実施例を示すものであって、気密室１と、圧力調整室２と、給排気部材３と、通気部材４とにより基本的に構成されるもので、気密室１と圧力調整室２とが上下二層により形成される例を示すものである。
【０００９】
そして、前記した気密室１は、合成樹脂等の一対のシート１ａ，１ｂにより重ね合わせて成形されていて、可撓性を有し、該シート１ａ，１ｂの最内層と最外層との間にガスバリア性を有するものであって、このシート１ａ，１ｂの周縁部５をヒートシール等により密封接合されることで袋状となり、かつ、その内部は密閉状態に形成されている。
また、この気密室１は、該気密室１内を多数の小室６，６，６…に区画してあり、これら小室６，６，６…のそれぞれを通路７，７，７…により該気密室１内に封入された気体が互いに、これら小室６，６，６…を挿通するように連通させてある。
【００１０】
これら小室６，６，６…の形成にあっては、図１および図３に示すように、シート１ａ，１ｂに対して、間隔的にヒートシール等により熱融着の接着部１０を施すことで、小室６，６，６…と気体の通路７，７，７…とが形成される。
【００１１】
前記した圧力調整室２は、気密室１の下側において可撓性のシート１ａ，１ｂにより該気密室１と少なくとも、それぞれの周縁部の一部がヒートシール等により密封接続されて一体的に重設されているもので、後記する遮断部材２２によりその内部を密閉状態に形成してある。
【００１２】
また、この圧力調整室２は、その内部に弾性部材８を内蔵してあるもので、この弾性部材８は、スポンジやウレタンなどの弾性を有する多孔質材であって、該弾性部材８を圧縮したとき、前記多孔質部に存在した空気等の気体は外部へ追い出されると共に、この多孔質部が潰れて、該弾性部材８自体の容積（体積）が減少する、いわゆる減容化し、この弾性部材８の圧縮を解除したとき、前記多孔質部の形状が元に戻り、この多孔質部内に空気等の気体が入り込むもので、該弾性部材８の元の容積（体積）までに復元性するものである。
この弾性部材８は、中央部に所定大きさに切り取られた空間部９を設けてあるもので、圧縮荷重を受けたとき、この空間部９側（内側）へも変形させて、弾性部材８全体が自由に変形しやすい大きさの孔形状であって、使用時の尻部の外形状に馴染むようにしてある。
【００１３】
なお、この圧力調整室２は、気密室１と一連的に成形させることができるもので、該圧力調整室２と気密室１との二つ並んだ大きさに形成した一辺が他辺より長尺の一対のシート１ａ，１ｂを重ね合わせて、図３に示すように、該シート１ａ，１ｂの長辺側一側部におけるシート１ａ，１ｂの間に弾性部材８を挿入し、このシート１ａ，１ｂの四辺周縁部と長手方向の中間部とにヒートシール等により密封接合し、このシート１ａ，１ｂにおける長手方向の略中間部、すなわち、図３において示すｍ−ｍ線において二つ折りし、更に、この二つ折りした箇所以外の残り三辺（周縁部５，５，５）に対して、ヒートシール等により密封接合することで、図１に示すような、上下二層からなる気密室１と圧力調整室２との一体成形がなされる。
【００１４】
前記した給排気部材３は、気密室１の一側部へ周縁部５のヒートシール時に一緒に取り付けて、該気密室１内の小室６，６，６…に対して気体の吸排気を行うもので、例えば、筒状に形成して、その内部に気密室１内と外気とを結ぶ一連の通孔１１を設けてあって、使用時は該気密室１内の気体の排出を遮蔽させる遮蔽部材１２を設ける。
この遮蔽部材１２は、おねじ式に形成して、給排気部材３に形成しためねじに螺合することで、該給排気部材３と遮蔽部材１２との連結や解除が行われる。
さらに、この遮蔽部材１２は、図６に示すように、給排気部材３内に設けた逆止弁であっても構わないもので、いわゆる、逆止弁付きの給排気部材３を用いることができる。
【００１５】
前記した通気部材４は、圧力調整室２の外周部における一側部適所へ周縁部５のヒートシール時に一緒に設けて、該圧力調整室２に対しての気体の流入と排出を行うもので、筒状に形成して、その内部に、圧力調整室２内と外気とを結ぶ一連の通孔１３を設けてあって、収納時は、外圧力調整室２内の気体の排出を遮断する遮断部材２２を設ける。
【００１６】
この遮断部材２２は、おねじ式に形成して、通気部材４に形成しためねじに螺合することで、該給排気部材３と遮断部材２２との連結や解除が行われるものであり、気密室１の通気部材４に使用した遮蔽部材１２を用いることができる。
【００１７】
したがって、前記のように構成される本発明の実施例の簡易座布団Ａおよび簡易座布団Ａの利用方法は、以下に述べる作用を奏する。
まず、この簡易座布団Ａの使用時は、圧力調整室２の通気部材４の通孔１３を開放し、すなわち、この通孔１３に遮断部材２２等による栓をしない状態で、気密室１の給排気部材３から通孔１１を通してその各小室６，６，６…内が膨満するまで、すなわち使用可能な状態まで気体を供給して、この給排気部材３に遮蔽部材１２を施してこの通孔１１を閉塞する。この状態は、圧力調整室２内には気体の流入・排出が自由に行え、気密室１に対しては、その気体の排出も流入も全く行えない、図１に示す状態に維持される。
【００１８】
着座等において尻部の下に当接するように、接地部に簡易座布団Ａを載置し、着座すると、気密室１に掛かった重圧は、該気密室１における各小室６，６，６…内の密封された気体によりクッション作用をさせつつ、各小室６，６，６…に設けた通路７を介して気体が自由に気密室１内を移動し、また、体積の小さい各通路７によって、気体の急激な移動を規制されながら、該気密室の各小室６，６，６…における外側部が前記尻部に馴染み、更に、続いて圧力調整室２に前記重圧が掛かる。
【００１９】
すると、この圧力調整室２において、弾性部材８が前記重圧により尻部の形状に応じてその形状に馴染みながら圧平されるもので、この圧平量に応じた圧力調整室２内の気体が、図４に示すように、該気密室１の通気部材４から外気へ放出される。
【００２０】
そのため、使用者は、この圧平された簡易座布団Ａの形状が尻部の形状に馴染むように対応するので、簡易座布団Ａに当接している該尻部の全体が包持されるように安定よく、また姿勢が崩れることなく接するので、クッション性を有しながら座り心地がよく、長時間の使用であっても、疲労や痛み等を受けることがない。気密室の各小室６，６，６…に荷重が分散されるので、尻部に均一な当接状態を与えるので座りやすい。
【００２１】
また、使用者の尻部が、一旦、この簡易座布団Ａから離れると、気密室１の弾性部材８の復元力により、該気密室１内が拡開されると同時に、通気部材４の通孔１３から外気が気密室１内に流入し、所定量がこの気密室１内に充満して弾性部材８の空洞部にも入り込み、弾性部材８はその元の形状（容積・体積）に復元されて、図１および図６に示すように、この簡易座布団Ａは通常（使用前）の平らな状態となる。
これにより、再び、この簡易座布団Ａへ尻部を下ろしたときは、前の座った形状が残っていないので、その座る位置が変わっても、再び、簡易座布団Ａが、特に、気密室１の弾性部材８が尻部の形状に馴染んで、安定的な着座姿勢が得られる。
【００２２】
一方、この簡易座布団Ａの収納時は、給排気部材３に取り付けた遮蔽部材１２を解除（取り外し）することで、気密室１の閉塞状態が開放され該気密室１内と外気との流通が自由に行える状態となるもので、例えば、図５（ａ）に示すように、簡易座布団Ａを四つ折りに畳み、更に、図５（ｂ）に示すように、丸めて、該気密室１と圧力調整室２の内部気体を給排気部材３および通気部材４の通孔１１，１３から排出させる。
遮蔽部材１２である逆止弁１２が付いている給排気部材３にあっては、この逆止弁１２に細棒などの開通部材（図示せず）を差し込む等を行うことで、気密室１内の気体は外気へと排出されるもので、更に、この気密室１を丸めるなどすることで気密室１内の気体は外気へ絞り出される。
【００２３】
更に、この圧力調整室２内の弾性部材８をも圧縮させて圧平し、該弾性部材８を減容化させた後、該圧力調整室２の通気部材４における通孔１３を遮断部材２２により閉塞させると、この圧力調整室２内への気体の流入が遮蔽されるので、気体によって圧力調整室２は膨らむことができず、シート１ａ，１ｂの内面同士および弾性部材８面とが略密着した状態が維持されるので、弾性部材８はその復元性を発揮することができず、いわゆる、該復元性が規制された状態を保持される。
このため、簡易座布団Ａは、図５（ｂ）に示すように、丸まった状態でいつまでもその形を維持するので、携帯時などにあってコンパクトに収納することができ、取り扱いが良好である。
【００２４】
図７〜図１０にてＡは、本発明実施例の第二の実施例を示すものであって、気密室１，１は、圧力調整室２を挟んでその上下に設けて、少なくとも、それぞれの周縁部の一部が接続されて一体的に形成されるもので、いわゆる、気密室１，１と圧力調整室２との三層構造に構成された例を示すものである。
また、気密室１，１と、圧力調整室２と、給排気部材３と、通気部材４とにより構成されるものであるが、これらの基本的な構成は前記第一実施例と同様に構成されるものである。
【００２５】
この例における気密室１，１は、合成樹脂等の可撓性を有する一対のシート１ａ，１ｂにより重ね合わせて成形されているもので、この一対のシート１ａ，１ｂは、二つの気密室１，１を並べ設けて一連的状態に成形させる。
成形にあっては、該気密室１，１が二つ並んだ大きさに形成した一辺が他辺より長尺の一対のシート１ａ，１ｂを重ね合わせて、図９に示すように、該シート１ａ，１ｂの四辺周縁部５にヒートシール等により密封接合する。
また、この気密室１，１は、該気密室１，１内を多数の小室６，６，６…に区画してあり、これら小室６，６，６…のそれぞれを通路７，７，７…により該気密室１，１内に封入された気体が互いにれら小室６，６，６…を挿通するように連通させてある。
【００２６】
これら小室６，６，６…の形成にあっては、図７〜図１０等に示すように、シート１ａ，１ｂに対して、間隔的にヒートシール等により熱融着の接着部１０を施すことで、小室６，６，６…と気体の通路７，７，７…とが形成される。
【００２７】
また、圧力調整室２の形成にあっては、一対のシート１ａ，１ｂにおける長手方向の略中間部、すなわち、図９に示すように、一方の気密室１の上部に弾性部材８を載置し、同図において示すｎ−ｎ線において二つ折りし、更に、この二つ折りした箇所以外の残り三辺（周縁部５，５，５）に対して、ヒートシール等により密封接合することで、図７，図８および図１０に示すような、上下三層からなる気密室１，１と圧力調整室２との一体成形がなされる。
【００２８】
更に、前記した給排気部材３は、気密室１において一対のシート１ａ，１ｂの間に挟んで該シート１ａ，１ｂの周縁部５のヒートシール時に一体的に溶着などにより取り付ける。
この給排気部材３は、一方の気密室１に取り付けることで、各小室６，６，６…のそれぞれを通路７，７，７…を経て他方の気密室１へも気体が流動するものであるが、必要に応じて、この他方の気密室１にも給排気部材３を取り付けることで、両気密室１，１への気体の供給を隈無く行うことができる。
【００２９】
同様に、前記した通気部材４は、圧力調整室２の形成時にあって、内層側に位置するシート１ｂとシート１ｂとの間に挟んで、該シート１ｂとシート１ｂの周縁部５のヒートシール時に一体的に溶着などにより取り付ける。
【００３０】
したがって、この第二の実施例による簡易座布団Ａおよび簡易座布団Ａの利用方法は、前記した第一実施例において示した簡易座布団Ａと同様の作用効果を奏するものであり、特に、気密室１，１を、圧力調整室２を挟んでその上下に設けることにより、簡易座布団Ａを載置する接地部と尻部とに対するクッション性が向上する。
一方、この簡易座布団Ａの収納時にあっても、気密室１，１が二室となっているが、該気密室１，１の気体を給排気部材３から排出すれば、単に、一対のシート１ａ，１ｂの厚さだけとなるので折り畳んだり丸めたりした場合であっても、その大きさがかさばらず、図５（ｂ）に示すようなコンパクトな携帯となって、その形状をいつまでも保持させることができる。
【００３１】
【発明の効果】
本発明に係る請求項１および４は、使用時、簡易座布団の形状が尻部の形状に馴染むように対応するので、該尻部の全体が包持されるように安定よく、また姿勢が崩れることなく接するので、クッション性を有しながら座り心地がよい。
また、収納時、丸まった状態でいつまでもその形を維持するので、携帯時などにあってコンパクトに収納することができ、取り扱いが良好である。
本発明に係る請求項２は、給排気部材に対して、栓などによる着脱操作が無くなって、取り扱いが良好となる。
本発明に係る請求項３は、気密室を、圧力調整室を挟んでその上下に設けることにより、簡易座布団を載置する接地部と尻部とに対するクッション性が向上する。
【図面の簡単な説明】
【図１】本発明に関する簡易座布団の第一実施例を示す縦断側面図である。
【図２】図１における簡易座布団の気密室の通路を示す要部の断面図である。
【図３】図１における簡易座布団の成形状態を示す展開状態の正面図である。
【図４】図１における簡易座布団の使用状態を示す縦断面図である。
【図５】図１における簡易座布団の収納状態を示す各工程における斜視図である。
【図６】図１における簡易座布団を示す正面図である。
【図７】本発明に関する簡易座布団の第二実施例を示す縦断側面図である。
【図８】図７における簡易座布団を示す斜視図である。
【図９】図７における簡易座布団の成形状態を示す展開状態の正面図である。
【図１０】図７における簡易座布団を示す正面図である。
【符号の説明】
Ａ…簡易座布団．１…気密室．１ａ，１ｂ…可撓性のシート．２…圧力調整室．３…吸排気部材．４…通気部材．８…弾性部材．１２…遮蔽部材．２２…遮断部材．
【図１】
2004065281.tif 000003
【図２】
2004065281.tif 000004
【図３】
2004065281.tif 000005
【図４】
2004065281.tif 000006
【図５】
2004065281.tif 000007
【図６】
2004065281.tif 000008
【図７】
2004065281.tif 000009
【図８】
2004065281.tif 000010
【図９】
2004065281.tif 000011
【図１０】
2004065281.tif 000012